(57)【要約】【課題】強調領域の指定は面単位であり、文字部分だけを選択する仕組みはない。また、強調領域は撮像時に指定されるのみで、事後的に任意の領域を指定することはできなかった。【解決手段】文字強調制御装置を、（ａ）入力画像データより文字部分に対応する画素を抽出する文字対応画素抽出部と、（ｂ）抽出された画素に対応する表示画面上での発光輝度値を選択的に持ち上げる一方で、背景部分の表示画面上での発光輝度値は増加しないように、入力画像データと表示デバイスの最大発光輝度値とを連動して制御する強調度合い制御部とで構成する。【選択図】図７
2007298779.tif 000002
【特許請求の範囲】
【請求項１】
入力画像データより文字部分に対応する画素を抽出する文字対応画素抽出部と、
抽出された画素に対応する表示画面上での発光輝度値を選択的に持ち上げる一方で、背景部分の表示画面上での発光輝度値は増加しないように、入力画像データと表示デバイスの最大発光輝度値とを連動して制御する強調度合い制御部と
を有することを特徴とする文字強調制御装置。
【請求項２】
請求項１に記載の文字強調制御装置において、
前記強調度合い制御部は、強調表示の前後で、背景部分の発光輝度値が変化しないように入力画像データの階調値を低下させる
ことを特徴とする文字強調制御装置。
【請求項３】
請求項１に記載の文字強調制御装置において、
前記強調度合い制御部は、強調表示後における背景部分の発光輝度値が強調表示前よりも低くなるように入力画像データの階調値を低下させる
ことを特徴とする文字強調制御装置。
【請求項４】
請求項１に記載の文字強調制御装置において、
前記文字対応画素抽出部は、アプリケーションプログラムの表示コンテンツに連動して指定される領域内の文字部分だけを選択的に抽出する
ことを特徴とする文字強調制御装置。
【請求項５】
文字部分を選択的に強調表示する際の強調度合いを指定する情報に基づいて、表示デバイスの最大輝度値を持ち上げるように制御する強調度合い制御部と、
入力画像データより文字部分に対応する画素を選択的に抽出する文字対応画素抽出部と、
前記強調度合いを指定する情報に応じ、表示画面全域に対応する入力画像データの階調値を一様に低下させる画質変換部と、
前記文字部分に対応する画素位置では前記画質変換部による変換前の入力画像データを選択的に出力し、前記背景部分に対応する画素位置では前記画質変換部よる変換後の入力画像データを選択的に出力する画質選択部と
を有することを特徴とする文字強調制御装置。
【請求項６】
文字部分を選択的に強調表示する際の強調度合いを指定する情報に基づいて、表示デバイスの最大輝度値を持ち上げるように制御する強調度合い制御部と、
入力画像データより文字部分に対応する画素を選択的に抽出する文字対応画素抽出部と、
前記文字部分に対応する画素位置では入力画像データを無変換のまま表示デバイスに出力し、前記背景部分に対応する画素位置では前記強調度合いを指定する情報に応じて階調値を一様に低下した入力画像データを前記表示デバイスに出力する画質変換部と
を有することを特徴とする文字強調制御装置。
【請求項７】
表示デバイスと、
文字部分を選択的に強調表示する際の強調度合いを指定する情報に基づいて、表示デバイスの最大輝度値を持ち上げるように制御する強調度合い制御部と、
入力画像データより文字部分に対応する画素を選択的に抽出する文字対応画素抽出部と、
前記強調度合いを指定する情報に応じ、表示画面全域に対応する入力画像データの階調値を一様に低下させる画質変換部と、
前記文字部分に対応する画素位置では前記画質変換部による変換前の入力画像データを選択的に出力し、前記背景部分に対応する画素位置では前記画質変換部よる変換後の入力画像データを選択的に出力する画質選択部と
を有することを特徴とする表示装置。
【請求項８】
表示デバイスと、
文字部分を選択的に強調表示する際の強調度合いを指定する情報に基づいて、表示デバイスの最大輝度値を持ち上げるように制御する強調度合い制御部と、
入力画像データより文字部分に対応する画素を選択的に抽出する文字対応画素抽出部と、
前記文字部分に対応する画素位置では入力画像データを無変換のまま、表示デバイスに出力し、前記背景部分に対応する画素位置では前記強調度合いを指定する情報に応じて階調値を一様に低下した入力画像データを前記表示デバイスに出力する画質変換部と
を有することを特徴とする表示装置。
【請求項９】
入力画像データより文字部分に対応する画素を抽出する処理と、
抽出された画素に対応する表示画面上での発光輝度値を選択的に持ち上げる一方で、背景部分の表示画面上での発光輝度値は増加しないように、入力画像データと表示デバイスの最大発光輝度値とを連動して制御する処理と
を有することを特徴とする強調表示制御方法。
【請求項１０】
表示デバイスの表示画質を領域別に制御するコンピュータプログラムであって、
入力画像データより文字部分に対応する画素を抽出する処理と、
抽出された画素に対応する表示画面上での発光輝度値を選択的に持ち上げる一方で、背景部分の表示画面上での発光輝度値は増加しないように、入力画像データと表示デバイスの最大発光輝度値とを連動して制御する処理と
をコンピュータに実行させることを特徴とするコンピュータプログラム。
【発明の詳細な説明】
【技術分野】
【０００１】
この明細書で説明する発明は、文字部分の視認性を向上する技術に関する。
なお、発明者らが提案する発明は、文字強調制御装置、表示装置、強調表示制御方法及びコンピュータプログラムとしての側面を有する。
【背景技術】
【０００２】
特定の表示領域を他の領域とは独立に強調表示する技術が特許文献１に開示されている。
【特許文献１】特開平８−３２０６７９号公報  また、撮像画像を再生して表示する際に、撮像時に指定された領域部分を強調して表示する技術が特許文献２に開示されている。
【特許文献２】特開２００４−１７２８７９号公報
【発明の開示】
【発明が解決しようとする課題】
【０００３】
ところが、特許文献１は強調領域を面として指定する。このため、ある文字情報を強調したい場合でも背景部分も含めて領域を指定しなければならなかった。
また、特許文献２は強調領域を撮像時に確定するため、強調領域を任意に指定することができない。
【課題を解決するための手段】
【０００４】
そこで、発明者らは、（ａ）入力画像データより文字部分に対応する画素を抽出する文字対応画素抽出部と、（ｂ）抽出された画素に対応する表示画面上での発光輝度値を選択的に持ち上げる一方で、背景部分の表示画面上での発光輝度値は増加しないように、入力画像データと表示デバイスの最大発光輝度値とを連動して制御する強調度合い制御部とを有する表示技術を提案する。
【０００５】
なお、強調表示の前後で、背景部分の発光輝度値が変化しないように制御することが望ましい。また、強調表示後における背景部分の発光輝度値が強調表示前よりも低くなるように制御することが更に望ましい。
また、強調表示する文字部分は、アプリケーションプログラムの表示コンテンツに連動して指定される領域内の文字部分だけに限ることが望ましい。
【発明の効果】
【０００６】
発明者らの提案する手法を用いれば、文字部分の内容や配置位置にかかわらず、文字部分の発光輝度値を背景部分に比して選択的に持ち上げることができる。
【発明を実施するための最良の形態】
【０００７】
以下、発明に係る強調表示技術について説明する。
なお、本明細書で特に図示又は記載されない部分には、当該技術分野の周知又は公知技術を適用する。
また以下に説明する形態例は、発明の一つの形態例であって、これらに限定されるものではない。
【０００８】
（Ａ）形態例１
この形態例では、表示デバイスとして自発光表示デバイスの一例である有機ＥＬパネルを適用する場合について説明する。
【０００９】
（Ａ−１）システム構成
図１に、文字部分の強調表示機能を搭載する有機ＥＬディスプレイ装置の機能構成例を示す。図１に示す有機ＥＬディスプレイ装置１は、有機ＥＬパネルモジュール３、パネルドライバ５及び文字強調制御部７で構成される。
【００１０】
（ａ）有機ＥＬパネルモジュール
有機ＥＬパネルモジュール３は、３種類の基本原色（Ｒ、Ｇ、Ｂ）で構成される表示上の１画素がマトリクス状に配置された表示デバイスである。個々の基本原色は、有機ＥＬ発光素子が発生する。
図２に、個々の有機ＥＬ素子の発光動作を制御する駆動回路例を示す。
【００１１】
駆動回路３０は、データ線と走査線の交点位置に配置される。駆動回路３０は、データスイッチ素子Ｔ１、キャパシタＣ１、電流供給素子Ｔ２、発光期間制御素子Ｔ３で構成される。
【００１２】
ここで、データスイッチ素子Ｔ１は、データ線を通じて与えられる電圧値の取り込みを制御するトランジスタである。取り込みタイミングは、走査線を通じて線順次で与えられる。
キャパシタＣ１は、取り込んだ電圧値を１フレームの間保持する素子である。キャパシタＣ１を用いることで、面順次駆動が実現される。
【００１３】
電流供給素子Ｔ２は、キャパシタＣ１の電圧値に応じた駆動電流を有機ＥＬ発光素子Ｄ１に供給するトランジスタである。
発光期間制御素子Ｔ３は、有機ＥＬ発光素子Ｄ１に対する駆動電流の供給と停止を制御するトランジスタである。
【００１４】
発光期間制御素子Ｔ３は、駆動電流の供給経路に対して直列に配置される。発光期間制御素子Ｔ３がオン動作している間、有機ＥＬ発光素子Ｄ１が点灯する。一方、発光期間制御素子Ｔ３がオフ動作している間、有機ＥＬ発光素子Ｄ１が消灯する。
この例の場合、発光期間制御素子Ｔ３の開閉動作は、点灯期間制御信号で実現する。
【００１５】
点灯期間制御信号は、パネルドライバ５で生成される。なお、点灯期間制御信号は、文字強調制御部７から与えられるピーク輝度制御信号に基づいて生成される。
この回路構成の場合、表示画面の最大輝度値の調整は、有機ＥＬ発光素子Ｄ１の発光期間の調整を通じて実現できる。
【００１６】
図３に、発光期間制御素子Ｔ３の動作状態を制御する点灯期間制御信号の一例を示す。なお、図３（Ａ）は、タイミング信号としての垂直同期信号である。垂直パルスで挟まれた期間が１フレーム期間に相当する。
【００１７】
図３（Ｂ）及び（Ｃ）は、点灯期間制御信号である。点灯期間制御信号は、１フレーム内で有機ＥＬ表示素子Ｄ１が点灯する時間の割合を制御する信号である。この形態例の場合、「Ｌ」レベル期間が点灯時間に対応する。従って、パネルドライバ５は、点灯期間制御信号で規定された最大輝度値を達成するように、点灯期間制御信号の「Ｌ」レベル期間（発光期間）を可変制御する。
【００１８】
なお、表示画面の最大輝度値は、駆動回路の電源電圧Ｖccの増減やディジタル／アナログ変換回路の電源電圧Ｖccの増減でも調整できる。
図４に、電源電圧Ｖccの供給例を示す。図４（Ａ）は、文字部分を強調表示する前（通常表示時）の電源電圧Ｖccである。一方、図４（Ｂ）は、文字部分を強調表示する際の電源電圧Ｖccである。
【００１９】
図４（Ｂ）に示すように、電源電圧Ｖccを持ち上げることにより、有機ＥＬ表示素子Ｄ１に流れる電流量を増加させたり、データ線に印加するアナログ電圧の最大振幅を増加させることができる。結果的に、同じ階調値が与えられる場合でも、表示画面上での発光輝度が高くなるように制御することができる。
【００２０】
（ｂ）パネルドライバ
パネルドライバ５は、有機ＥＬパネルモジュール３の駆動に必要とされる駆動信号や駆動電圧を生成する回路デバイスである。
ここでの駆動信号には、水平走査パルス、垂直走査パルス、点灯期間制御信号その他の駆動パルスだけでなく、入力画像データ（階調値）に基づいて生成するアナログ電圧も含まれる。
【００２１】
また、駆動電圧には、個々の有機ＥＬ発光素子に対応する駆動回路の電源電圧Ｖccだけでなく、データ線に印加するアナログ電圧を生成するディジタル／アナログ変換回路の電源電圧Ｖccも含まれる。
パネルドライバ５は、これら駆動信号や駆動電圧のうち最大輝度値の制御に使用するパラメータをピーク輝度制御信号に基づいて設定する動作を実行する。
【００２２】
（ｃ）文字強調制御部
文字強調制御部７は、表示画面内のうちアプリケーションプログラムの表示コンテンツに連動して指定された特定の領域内に位置する文字部分についてのみ発光輝度値を持ち上げる強調表示を実現する処理機能を実行する処理デバイスである。
【００２３】
文字強調制御部７は、強調度合い制御部７０１、画質変換部７０３、画質選択部７０５及び文字対応画素抽出部７０７で構成する。
強調度合い制御部７０１は、外部から与えられる強調度合い信号に基づいて、最大輝度値の持ち上げ具合を決定する処理と画質変換部７０３のガンマ変換具合を決定する処理を実行する。
【００２４】
強調度合い信号は、文字部分の強調度合いを指示する信号であり、アプリケーションプログラムの表示コンテンツに連動して指定される。
なお、強調度合い制御部７０１は、決定された最大輝度値の持ち上げ度合いに応じ、パネルドライバ５の駆動条件を制御する。駆動条件は、最大輝度値の調整方法により異なる。
【００２５】
例えば最大輝度値を発光期間長の増加により調整する場合、強調度合い制御部７０１は、点灯期間制御信号をパネルドライバ５に出力する。また例えば最大輝度値を駆動回路の電源電圧Ｖccの増加やディジタル／アナログ変換回路の電源電圧Ｖccの増加により調整する場合、強調度合い制御部７０１は、電源電圧Ｖcc又はその制御信号をパネルドライバ５に出力する。
【００２６】
ただし、パネルドライバ５による最大輝度値の持ち上げは画面全体に作用する。すなわち、文字部分と背景部分の区別無く、画面全体で最大輝度値を一様に増加させてしまう。図５に最大輝度値の持ち上げ前の文字部分と背景部分のガンマ特性を示し、図６に最大輝度値の持ち上げ後の文字部分と背景部分のガンマ特性を示す。図６に示すように、最大輝度値を上げたのでは、文字部分と背景部分とのコントラストを拡大することができない。
【００２７】
そこで、強調度合い制御部７０１は、背景部分の最大輝度値が文字部分の強調表示前と同じになるように（変化しないように）ガンマ変換特性の制御信号を画質変換部７０３に出力する。すなわち、強調度合い制御部７０１は、図７に示すように背景部分の最大輝度値をパネルドライバ５による最大輝度値の持ち上げ効果を打ち消すガンマ変換特性の制御信号を出力する。
【００２８】
このように、ガンマ変換特性の制御信号は、強調度合い制御信号による最大輝度値の持ち上げ分だけ入力画像データの最大輝度値を低下させるように作用する。
以上のように、最大輝度値の低下量は、最大輝度値の持ち上げ量に連動して決定される。
【００２９】
画質変換部７０３は、ガンマ変換特性の制御信号に基づいて、入力画像データの階調値を一様に低下させる処理デバイスである。なお、階調変換の対象は、全画素に対応する入力画像データである。
図８に、実行されるガンマ変換動作を示す。図８は、ガンマ変換前のガンマ特性を破線で示し、ガンマ変換後のガンマ特性を実線で示す。
【００３０】
図８に示すように、画質変換部７０３は、ガンマカーブの特性はそのままに（ガンマ値は変えずに）最大輝度だけが低下するように、階調値に対応付ける輝度レベルを全体的に低下させる。
画質選択部７０５は、入力画像データとガンマ変換済みの入力画像データのいずれか一方を選択的に出力する処理デバイスである。
【００３１】
画像データの選択動作は、文字対応画素抽出部７０７の制御により画素単位で実行される。ここで、画質選択部７０５は、文字部分に対応する画素位置ではガンマ変換前の入力画像データを選択し、背景部分に対応する画素位置ではガンマ変換後の入力画像データを選択する。
【００３２】
文字対応画素抽出部７０７は、入力画像データより強調表示の対象とする文字対応画素を抽出する処理と、抽出結果に基づいて画質選択部７０５の選択動作を制御する処理とを実行する処理デバイスである。
【００３３】
ここで、強調表示の対象とする文字対応画素は、強調領域情報で指定された領域内で検索される。強調領域情報は、入力画像データを供給するアプリケーションプログラムより表示コンテンツに連動して指定される。なお、強調領域は画面全体でも良いし、独立した１つ又は複数の部分領域でも良い。
【００３４】
前述したように、この文字対応画素抽出部７０７は、強調表示領域内に存在する文字部分を画素単位で抽出する。図９に、文字対応画素を含む画面領域の拡大図を示す。個々の矩形領域が単一画素に対応する。図９は、文字対応画素を白抜きで示し、背景部分の画素を網掛け表示で示す。
【００３５】
文字対応画素抽出部７０７は、文字対応画素か否かの判定を画素単位で実行する。判定処理は、図９に矢印で示すように、画面左上から入力画像データの伝送順に実行される。
まず、文字対応画素抽出部７０７は、判定対象の画素が強調表示領域か否かを判定する。
【００３６】
判定画素が強調表示領域の外側に位置する場合、文字対応画素抽出部７０７は、判定画素を無条件に背景部分と判定する。
一方、判定画素が強調表示領域内に位置する場合、文字対応画素抽出部７０７は、「判定画素の階調値」と「伝送順の前画素に対する階調差」の２つを判定条件として文字対応画素か否かを判定する。
【００３７】
これら２つの項目を判定条件に用いるのは、文字部分を強調的に表示するような状況は、一般にアプリケーション（プログラムや機器）によるメニュー画面等の表示のように、意図的に用意された画面の表示時に発生すると考えられるためである。
また、背景部分や文字部分の表示内容は、比較的自由に設定されると考えられるためである。
【００３８】
更に、文字部分は、背景部分より通常高い輝度で表示されると共に、文字部分は同じ階調値で表示されるのが一般的であるためである。
なお実際の表示画面では設定色等も異なる可能性がある。ただし、文字部分を強調表示するような画面では、ほぼこれらの条件が満たされる可能性が高いと考えられる。このため、発明者らは、「階調値」と「伝送順の前画素に対する階調差」の２つを判定条件に使用する。
【００３９】
２つの判定条件のうち「階調値」は、判定画素が文字表示に使用される階調値に合致するか否かを判定するために使用する。この形態例では、判定条件としての階調値を「Ｘ」とする。もっとも、階調値Ｘは、文字対応画素の想定階調値にノイズ分の存在を加味することが望ましい。
【００４０】
例えば文字部分が全白（１００％輝度）であって、階調値を８ビットで表記する場合、階調値Ｘはノイズ分の「５」階調を加味して「２５０」階調に設定する。
なお、階調値Ｘは、文字表示で使用する可能性がある階調値が複数あるのであれば、階調値Ｘを複数用意することも可能である。
また、色等に応じて別々の階調値Ｘを用いることもできる。この場合、色（ＲＧＢ）毎に異なる階調値を用意した階調値の組を用意する。
【００４１】
もう一つの判定条件である「判定順の前画素に対する階調差」は、背景部分と文字部分のエッジを検出する目的で使用する。エッジには、開始エッジと終了エッジの２つがある。この形態例では開始エッジの検出に使用する前画素との階調差を「＋Ｙ以上」とする。一方、終了エッジの検出に使用する前画素との階調差を「±１以上」とする。
【００４２】
通常、背景部分と文字部分の境界では、ある値以上の輝度差が発生していると考えられる。通常、文字の表示には、ベタ階調（背景）の表示領域に文字を表示する態様、任意の表示画面上に透かし状の背景を合成し、更にその上に文字を表示する態様その他が用いられると想定される。しかし、いずれの態様を採用する場合にも、メニュー画面の表示時には、文字部分とその周辺の背景部分との間には、ある値以上の輝度差が発生していると考えられる。
【００４３】
この判定条件についても、アプリケーション（プログラムや機器）により予め判明している開始エッジの階調差に基づいて判定用の階調差Ｙを設定する。
この階調差Ｙは、暗い背景部分から明るい文字部分への移行に対応する画素の抽出用である。従って、符号付きの階調値として表記する。すなわち、「＋Ｙ」として表記する。例えば画像の平均階調値が３０％程度である場合、前画素に対する階調差が７０％（３０％から１００％）であるような画素を開始エッジとする。
【００４４】
この階調差Ｙは、階調値を８ビットで表記するとき、「＋１７８」以上の階調差に対応する。ただし、実際の平均階調値は、ある程度のばらつきがある。従って、実際にはある程度のマージンを考慮する。前述の例であれば、開始エッジの判定用の階調差Ｙを、「＋１５０」に設定する。図１０では、この２つの判定条件を同時に満たす場合をＡ条件と示す。
【００４５】
文字対応画素抽出部７０７は、Ａ条件を満たす画素（例えば図９の（ラインｎ−１，ｍ−１列）、（ラインｎ，ｍ−１列）、（ラインｎ＋１，ｍ−１列）、（ラインｎ＋１，ｍ＋１列）に位置する画素「２」、「２’」、「２”」、「４”」）を、開始エッジを与える画素として抽出する。
【００４６】
文字対応画素抽出部７０７は、開始エッジを与える画素が判定されると、終了エッジを与える画素の判定処理を開始する。終了エッジを与える画素の判定には、前画素との階調差が「±Ｚ」未満か否かで実行する。この階調差「±Ｚ」は、階調値を８ビットで表記するとき、例えば「±１」に設定する。なお、文字対応画素抽出部７０７は、終了エッジの条件を満たす１画素前までを文字対応画素と判定する。
【００４７】
ここで、終了エッジの検出条件としての階調差を「±Ｚ」未満とするのは、文字対象画素の階調値は通常一定であるためと考えられるためである。すなわち、前画素との間に階調差が生じていることは、既に文字部分でないと想定できるためである。図１０では、この判定条件を満たす場合をＢ条件と示す。
【００４８】
文字対応画素抽出部７０７は、Ｂ条件を満たす画素（例えば図９の（ラインｎ−１，ｍ列）、（ラインｎ，ｍ＋１列）、（ラインｎ＋１，ｍ列）、（ラインｎ＋１，ｍ＋１列）に位置する画素「３」、「４’」、「３”」、「５”」）を、終了エッジを与える画素として抽出する。なお、終了エッジを与える画素の一つ前までが文字部分に対応し、終了エッジと判定された画素は背景部分として処理される。
【００４９】
文字対応画素抽出部７０７は、これら「Ａ条件」と「Ｂ条件」を用いることで、背景部分を文字部分から確実に抽出する。
なお、上述した「Ｘ」、「＋Ｙ」、「±Ｚ」等の各設定値は、プログラムや機器毎に変えて設定することを前提とする。
【００５０】
また、文字部分の抽出精度をより高めるためには、文字表示が始まる１画素前は必ず黒表示にするなどの手法も有効である。
図１１に、文字対応画素抽出部７０７の判定処理手順をフローチャート形式で示す。
まず、文字対応画素抽出部７０７は、判定対象の画素が強調表示領域か否かを判定する（Ｓ１）。
【００５１】
この判定処理Ｓ１で否定結果が得られた場合、文字対応画素抽出部７０７は、無条件に背景部分であると判定する。
この判定処理Ｓ１で肯定結果が得られた場合、文字対応画素抽出部７０７は、前画素が文字部分か否かを判定する（Ｓ２）。
【００５２】
前画素が文字部分であった場合（Ｓ２で肯定結果の場合）、文字対応画素抽出部７０７は、前画素との階調差が「±Ｚ」未満か否かを判定する（Ｓ３）。文字対応画素抽出部７０７は、この判定処理Ｓ３で肯定結果が得られたとき、該当画素を「文字部分」と判定し、否定結果が得られたとき、該当画素を「背景部分」と判定する。
【００５３】
なお、前画素が文字部分でなかった場合（Ｓ２で否定結果の場合）、文字対応画素抽出部７０７は、前画素との階調差が「＋Ｙ」以上か否かを判定する（Ｓ４）。文字対応画素抽出部７０７は、この判定処理Ｓ４で否定結果が得られた場合、該当画素を「背景部分」と判定する。一方、文字対応画素抽出部７０７は、判定処理Ｓ４で肯定結果が得られた場合、該当画素の階調値が「Ｘ」以上か否かを判定する（Ｓ５）。
【００５４】
文字対応画素抽出部７０７は、この判定処理Ｓ５で肯定結果が得られたとき、該当画素を「文字部分」と判定し、否定結果が得られたとき、該当画素を「背景部分」と判定する。
【００５５】
（Ａ−２）強調表示例
図１２〜図１４を用いて、文字部分の強調表示イメージを示す。
図１２は、強調表示実行前の表示画面例である。すなわち、原画像の表示画面である。ここでは、画面全体がメニュー画面の場合について表している。この例の場合、背景部分は３０％輝度値であり、文字部分は１００％輝度値である。
【００５６】
図１３は、画面全体を強調表示領域として文字部分の強調表示を実行した場合の表示画面例である。
文字部分（破線で囲んだ部分）の輝度値は、強調表示前の最大輝度値換算で３０％アップしている。すなわち、最大輝度値は、１３０％輝度値にアップしている。一方、背景部分は、強調表示前と同じ輝度値に維持されている。この結果、文字部分と背景部分とのコントラスト比が高まり、ユーザーによる文字部分の識別性が高まっている。
【００５７】
図１４は、破線で囲んだ一部領域だけを強調表示領域として文字部分の強調表示を実行した場合の表示画面例である。
この場合、破線で囲んだ文字部分の輝度値だけが、強調表示前の最大輝度値換算で３０％アップし、その他の文字部分は強調表示前と同じ輝度値に維持されている。この場合、強調表示領域に指定された１行以外の文字部分は背景部分として処理される。
【００５８】
この結果、選択された文字部分だけが強調的に表示され、他の文字部分と対比してもより目立つ態様で表示される。
なお、背景部分と判定された画像領域は、データ処理の段階で階調幅が圧縮されるようにガンマ変換されるが、パネルドライバ５で実行される最大輝度値の持ち上げ効果により階調幅は原画像の階調状態に戻されている。従って、背景部分の画質は損なわれずに済む。
【００５９】
（Ａ−３）効果
以上説明したように、この表示機能を用いれば、指定された強調表示領域の中でも文字部分に対応する画素の発光輝度だけを選択的に持ち上げることができる。
文字情報は、その周囲領域とのコントラストが大きいほど視認性が高まる傾向があるので、ユーザーの使い勝手を一段と向上することができる。特に、屋外や周囲が明るい環境下で画面上を確認する必要がある場合には、文字部分がくっきりと表示されることは、使い勝手の向上だけでなく利用範囲の拡大でも有利である。
【００６０】
また、最大輝度値の上昇は、消費電力の増加を伴うことを避け得ないが、この形態例の場合、最大輝度値が増加する画素は文字部分を構成する画素だけに限定できる。従って、消費電力の増加も必要最小限に留めることができる。
このため、この機能をバッテリー動作型の電子機器に搭載すれば、駆動時間を大幅に短縮しなくても表示情報を容易に確認することが可能になる。
【００６１】
加えて、この表示技術の実現に必要な回路規模や演算量は小さく済む。このため、文字強調制御部７は、タイミングジェネレータ等の集積回路の一部として実装することもできる。この場合、既存の周辺回路に影響を与えないため、製造にも有利である。
【００６２】
（Ｂ）形態例２
ここでは、より文字部分の視認性を高めると同時に消費電力を低減できる仕組みについて説明する。
文字部分の視認性は、基本的に文字部分とその周辺の背景部分とのコントラスト差に比例する。また、自発光表示素子を配列した表示デバイスの場合、消費電力は画面の明るさに比例する。
【００６３】
そこで、この形態例では、強調表示後における背景部分の画面輝度が強調表示前における背景部分の画面輝度よりも低くなるように積極的に低減させることで、コントラスト差の拡大と低消費電力化を同時に実現する場合について説明する。
【００６４】
（Ｂ−１）システム構成
図１５に、この種の機能を追加した有機ＥＬディスプレイ装置の機能構成例を示す。なお、図１５には、図１との対応部分に同一符号を付して示す。
図１５に示すように、有機ＥＬディスプレイ装置１１の基本的なブロック構成は図１に示す有機ＥＬディスプレイ装置１と同じである。
【００６５】
違いは、強調度合い制御部７０９が画質変換部７０３に与えるガンマ変換特性の制御信号の決め方である。
形態例１では、強調度合い制御信号による最大輝度値の持ち上げ分だけ入力画像データの最大輝度値を低下させるように最大輝度値の低下量を設定したが、この形態例では、より大きい低下量を指示する。
【００６６】
図１６に、画質変換部７０３で実行されるガンマ変換動作例を示す。図１６は、ガンマ変換前のガンマ特性を破線で示し、ガンマ変換後のガンマ特性を実線で示す。なお、形態例１の場合におけるガンマ変換後のガンマ特性を一点鎖線で示す。
図１６に示すように、この形態例における強調度合い制御部７０９は、ガンマ変換での輝度レベルの低下量を強調度合い以上に大きくする。
【００６７】
結果的に、表示画面上で確認される領域別の発光輝度特性は、図１７に示すようになる。図１７の場合も、文字部分のガンマ特性は実線で示し、背景部分のガンマ特性は破線で示している。
図１７より明らかなように、この形態例の場合、背景部分の最大輝度値は、強調表示前の最大輝度値換算で１００％以下に低下しており、文字部分とのコントラストが拡大する。
【００６８】
（Ｂ−２）強調表示例
図１８〜図２０を用いて、文字部分の強調表示イメージを示す。
図１８は、強調表示実行前の表示画面例である。すなわち、原画像の表示画面である。ここでは、画面全体がメニュー画面の場合について表している。なお、背景部分は基本的に３０％輝度値とし、文字部分は１００％輝度値とする。
【００６９】
図１９は、画面全体を強調表示領域として文字部分の強調表示を実行した場合の表示画面例である。
文字部分（破線で囲んだ部分）の輝度値は、強調表示前の最大輝度値換算で３０％アップしている。一方、背景部分は、強調表示前の最大輝度値換算で１０％程度と強調表示前の３分の１程度に低減されている。この結果、文字部分と背景部分との輝度差は形態例１よりも２０％も拡大し、ユーザーによる文字部分の識別性がより高まっている。
【００７０】
図２０は、破線で囲んだ一部領域だけを強調表示領域として文字部分の強調表示を実行した場合の表示画面例である。
この場合、破線で囲んだ文字部分の輝度値だけが、強調表示前の最大輝度値換算で３０％アップし、その他の文字部分はやはり強調表示前の３分の１程度に低減されている。この場合、強調表示領域に指定された１行にだけスポットライトが当たったように表示され、文字部分の識別性が一段と向上する。
【００７１】
（Ｂ−３）効果
以上説明したように、この表示機能を用いれば、文字部分と背景部分のコントラスト比を一段と拡大でき、文字情報の確認をより容易かつ確実なものにできる。特に、屋外や周囲が明るい環境下で文字情報を確認する必要がある場合には、この形態例の効果は大きい。
加えて、この形態例の場合には、画面のほとんどを占める背景部分の発光輝度が強調表示前よりも積極的に低下できる。
【００７２】
このため、消費電力の低減効果が発揮され、この形態例のように背景部分の発光輝度を大幅に低下させる場合には、強調表示前よりも消費電力を小さくすることさえ可能となる。
すなわち、文字部分の視認性を高めると同時に消費電力も効果的に削減することができる。
【００７３】
従って、バッテリー動作型の各種の端末機器に同表示機能を搭載すれば、文字情報の確認が容易な上に駆動時間を大幅に増やすことが可能になる。
また、有機ＥＬディスプレイ装置がＡＣ電源を通じて電力の供給を受ける場合にも、電力代の節約という効果を発揮できる。
なお、消費電力が少ないということは発熱も小さく済むことに通じるため、放熱対策を含めた装置全体の低コスト化にも効果的である。
【００７４】
（Ｃ）他の形態例
（ａ）前述の形態例では、画質変換部により画面全体を一斉に階調変換し、後段に配置した画質選択部でそのいずれか一方を選択的に出力する場合について説明した。
しかし、図２１に示す有機ＥＬディスプレイ装置２１のように、画質変換部７１１内で画質の切替機能を実現する構成としても良い。
【００７５】
この例の場合、画質変換部７１１は、文字対応画素抽出部７０７から与えられる強調領域の切替信号に基づいて、画素毎に異なる画質変換処理を実行する。
すなわち、文字部分については入力画像データの階調値をそのまま出力し、背景部分についてのみ最大輝度値を低下させるように入力画像データの階調値をガンマ変換する処理動作を実行する。このようなシステム構成としても、前述した形態例と同じ効果を実現することができる。
【００７６】
（ｂ）前述の形態例では、アプリケーションプログラムの表示コンテンツに連動して強調表示領域が指定される画面例としてメニュー画面を例示したが、他のインターフェース画面にも応用できる。例えば操作対象を表すボタンやアイコン、タイトルバー等に文字部分の強調機能を連動させても良い。この場合、特定のボタンやアイコン等を文字部分として強調表示させることができる。
【００７７】
また例えば、図２２（Ａ）に示す時刻の表示画面に連動させて文字部分を強調表示させても良いし、図２２（Ｂ）に示すバッテリー残量の表示画面に連動させて文字部分を強調表示させても良い。
この場合、時刻やバッテリー残量の表示パターンを文字部分として強調表示させることができる。
【００７８】
（ｃ）前述の形態例では、自発光表示装置の一例として有機ＥＬディスプレイパネルを例示したが、他の自発光表示装置にも適用できる。例えば、ＦＥＤ（field emission display） 、無機ＥＬディスプレイパネル、ＬＥＤパネルその他にも適用できる。
【００７９】
なお、この形態例で説明する強調表示技術は、自発光表示装置だけに限らず、非自発光表示装置型の各種のディスプレイ装置にも適用できる。例えば液晶パネルディスプレイ装置にも適用できる。
この場合、パネルドライバ５は、強調度合い信号に基づいて、バックライト光源の光量を増加させる制御動作を実行する。
【００８０】
なお、非自発光表示装置の場合、消費電力の増加を最小化する効果や積極的に省電力化の効果は失われてしまう。
しかし、文字部分についてのみ発光輝度値を上げて背景部分とのコントラスト比を拡大し、視認性を高める効果については自発光表示装置の場合と同様に期待できる。
【００８１】
（ｄ）前述の形態例では、文字部分の発光輝度を選択的に持ち上げる機能を有機ＥＬディスプレイに搭載する場合について説明した。
しかし、この文字部分の発光輝度を選択的に持ち上げる機能は、自発光表示装置を搭載する又は制御する様々な電子機器に搭載できる。
【００８２】
例えば、コンピュータ、印刷装置、ビデオカメラ、デジタルカメラ、ゲーム機器、携帯情報端末（携帯型のコンピュータ、携帯電話機、携帯型ゲーム機、電子書籍等）、時計、画像再生装置（例えば、光ディスク装置、ホームサーバー）に搭載できる。
【００８３】
なお、いずれの電子機器の場合にも、筐体と、信号処理部（ＭＰＵ）と、外部インターフェースとを共通構成とし、商品形態に応じた周辺装置が組み合わされて構成される。
例えば、携帯電話機その他の通信機能を有する電子機器であれば、前述の構成に加え、送受信回路やアンテナを有する。
【００８４】
図２３（Ａ）に、この種の電子機器の概略構成例を示す。この例の場合、電子機器１００１は、信号処理部１００３、操作部１００５、通信部１００７、表示パネル１００９で構成する。
【００８５】
また例えば、ゲーム機や電子書籍その他の記憶媒体を有する電子機器であれば、前述の構成に加え、記憶媒体の駆動回路等を有する。図２３（Ｂ）に、この種の電子機器の概略構成例を示す。この例の場合、電子機器１１０１は、信号処理部１１０３、操作部１１０５、媒体駆動部１１０７、表示パネル１１０９で構成する。
【００８６】
また例えば、印刷装置であれば、前述の構成に加え、印刷ユニットを搭載する。印刷ユニットは、印刷方式に応じて最適なものを搭載する。印刷方式には、例えばレーザー方式、インクジェット方式その他がある。図２４（Ａ）に、この種の電子機器の概略構成例を示す。
【００８７】
この例の場合、電子機器１２０１は、信号処理部１２０３、操作部１２０５、印刷ユニット１２０７、表示パネル１２０９で構成する。
また例えば、ビデオカメラやデジタルカメラであれば、前述の構成に加え、カメラユニットや撮像された映像データを記憶媒体に保存するための書き込み回路を搭載する。
【００８８】
図２４（Ｂ）に、この種の電子機器の概略構成例を示す。
この例の場合、電子機器１３０１は、信号処理部１３０３、操作部１３０５、撮像部１３０７、表示パネル１３０９で構成する。
【００８９】
勿論、バッテリーを搭載する電子機器の場合には、文字部分だけを選択的に強調表示できる機能の搭載により駆動時間を延長することができる。
また、電源コンセントを使用する電子機器の場合には、文字部分の発光輝度を選択的に持ち上げる機能の搭載により電気代を節約することができる。
【００９０】
（ｅ）前述の形態例では、文字部分だけを選択的に強調表示できる技術を機能的な側面から説明したが、言うまでもなく、同等の機能をハードウェアとしてもソフトウェアとしても実現できる。
また、これらの処理機能の全てをハードウェア又はソフトウェアで実現するだけでなく、その一部はハードウェア又はソフトウェアを用いて実現しても良い。すなわち、ハードウェアとソフトウェアの組み合わせ構成としても良い。
【００９１】
（ｆ）前述の形態例には、発明の趣旨の範囲内で様々な変形例が考えられる。また、本明細書の記載に基づいて創作される又は組み合わせられる各種の変形例及び応用例も考えられる。
【図面の簡単な説明】
【００９２】
【図１】有機ＥＬディスプレイ装置の機能構成例（形態例１）を示す図である。
【図２】各画素の駆動回路例を示す図である。
【図３】点灯期間の可変動作を説明する図である。
【図４】電源電圧の制御動作を説明する図である。
【図５】パネルドライバによる最大輝度値の持ち上げ前の文字部分と背景部分のガンマ特性の関係を示す図である。
【図６】パネルドライバによる最大輝度値の持ち上げ後の文字部分と背景部分のガンマ特性の関係を示す図である。
【図７】画質変換とパネルドライバによる最大輝度値の持ち上げとを組み合わせた場合における文字部分と背景部分のガンマ特性の関係を示す図である（形態例１）。
【図８】画質変換部で適用するガンマ変換特性を説明する図である。
【図９】文字対応画素の抽出原理を説明する図である。
【図１０】文字対応画素の判定条件を説明する図表である。
【図１１】文字対応画素の判定処理手順を説明するフローチャートである。
【図１２】文字強調表示前の画面例を示す図である。
【図１３】画面全体を強調表示領域とする場合における文字部分の強調表示例を示す図である（形態例１）。
【図１４】画面の一部領域だけを強調表示領域とする場合における文字部分の強調表示例を示す図である（形態例１）。
【図１５】有機ＥＬディスプレイ装置の機能構成例（形態例２）を示す図である。
【図１６】画質変換部で適用するガンマ変換特性を説明する図である。
【図１７】画質変換とパネルドライバによる最大輝度値の持ち上げとを組み合わせた場合における文字部分と背景部分のガンマ特性の関係を示す図である（形態例２）。
【図１８】文字強調表示前の画面例を示す図である。
【図１９】画面全体を強調表示領域とする場合における文字部分の強調表示例を示す図である（形態例２）。
【図２０】画面の一部領域だけを強調表示領域とする場合における文字部分の強調表示例を示す図である（形態例２）。
【図２１】有機ＥＬディスプレイ装置の他の機能構成例を示す図である。
【図２２】強調表示領域の他の指定例を説明する図である。
【図２３】他の電子機器への応用例を説明する図である。
【図２４】他の電子機器への応用例を説明する図である。
【符号の説明】
【００９３】
５          パネルドライバ
７          文字強調制御部
７０１      強調度合い制御部
７０３      画質変換部
７０５      画質選択部
７０７      文字対応画素抽出部
７０９      強調度合い制御部
７１１      画質変換部
【図１】
2007298779.tif 000003
【図２】
2007298779.tif 000004
【図３】
2007298779.tif 000005
【図４】
2007298779.tif 000006
【図５】
2007298779.tif 000007
【図６】
2007298779.tif 000008
【図７】
2007298779.tif 000009
【図８】
2007298779.tif 000010
【図９】
2007298779.tif 000011
【図１０】
2007298779.tif 000012
【図１１】
2007298779.tif 000013
【図１５】
2007298779.tif 000014
【図１６】
2007298779.tif 000015
【図１７】
2007298779.tif 000016
【図２１】
2007298779.tif 000017
【図２３】
2007298779.tif 000018
【図２４】
2007298779.tif 000019
【図１２】
2007298779.tif 000020
【図１３】
2007298779.tif 000021
【図１４】
2007298779.tif 000022
【図１８】
2007298779.tif 000023
【図１９】
2007298779.tif 000024
【図２０】
2007298779.tif 000025
【図２２】
2007298779.tif 000026